(57)【要約】【課題】自転車の利用者の操作の便利さが向上する。【解決手段】ケーブルアセンブリと本体とを含む、ステアリングコラムロックを接続するための自転車のワイヤ制御位置決め構造が提供される。ステアリングコラムロックがケーブルアセンブリに制御されるよう、後者は前者と連動する。本体は、自転車のハンドル上に設けられ、本体は、固定カラーと、回動可能にハンドル上に設けられた可動カラーと、リリース部材とを含み、可動カラーは、リリース部材に制御され、ロック位置またはアンロック位置まで対応して移動し、ケーブルアセンブリは、ステアリングコラムロック上に設けられた筐体と、筐体と可動カラーとの間に接続されたケーブルと、ケーブルを接続するバネとを含み、ケーブルは、筐体を第１の方向に引っ張り回動させることができ、バネは、筐体を第１の方向とは逆の第２の方向に駆動して回動させることができる。【選択図】図２Ａ
2019147543.tif 000002
【特許請求の範囲】
【請求項１】
自転車のステアリングコラム上に設けられたステアリングコラムロックを接続するためのワイヤ制御位置決め構造であって、
ケーブルアセンブリであって、該ステアリングコラムロックが該ケーブルアセンブリに制御されるよう、該ステアリングコラムロックと連動しているケーブルアセンブリと、
固定カラーと、可動カラーと、リリース部材と、第１の位置決め部材と、第２の位置決め部材と、第１の弾性部材と、第２の弾性部材とを含む、該自転車のハンドル上に設けられた本体と、
を含み、
該固定カラーは、該ハンドル上に固定され、該可動カラーは、該固定カラーに対して回動可能に該ハンドル上に設けられ、かつ該可動カラーは、該ケーブルアセンブリに接続され、
該固定カラーは、溝を有し、該リリース部材は、該固定カラー上に設けられ、かつ該リリース部材の一端は、該固定カラーの該溝の中に対応して位置し、
該リリース部材は、付勢され第１の位置から第２の位置まで移動することができ、該第１の弾性部材が該可動カラー上に設けられ、かつ該リリース部材が該第１の位置にあるとき、該第１の位置決め部材の一端は該溝の中に挿入され、該第１の位置決め部材を該リリース部材と該第１の弾性部材との間に当接させ、該第２の弾性部材が該可動カラー上に設けられ、かつ該リリース部材が該第１の位置から該第２の位置まで移動しているとき、該第１の位置決め部材の該一端は該溝から離れており、該可動カラーをロック位置まで回転させることができ、かつ該位置決め部材が解放され該第２の位置から該第１の位置まで移動しているとき、該第２の位置決め部材を該リリース部材と該第２の弾性部材との間に当接させるよう、該第２の位置決め部材の一端は該可動カラーの該溝の中に挿入されることを特徴とするワイヤ制御位置決め構造。
【請求項２】
該ケーブルアセンブリは、該ステアリングコラムロック上に設けられた筐体と、該筐体と該可動カラーとの間に接続されたケーブルと、該ケーブルを接続するバネとを含み、該可動カラーは、該ケーブルを動かして該筐体を回動させ、該バネを変形させることにより、該ステアリングコラムロックをロック状態にすることを特徴とする請求項１に記載のワイヤ制御位置決め構造。
【請求項３】
該第１の位置決め部材および該第２の位置決め部材はそれぞれラッチであり、該第１の弾性部材および該第２の弾性部材はそれぞれバネであり、該リリース部材はボタンであることを特徴とする請求項１に記載のワイヤ制御位置決め構造。
【請求項４】
自転車のステアリングコラム上に設けられたステアリングコラムロックを接続するためのワイヤ制御位置決め構造であって、
ケーブルアセンブリであって、該ステアリングコラムロックが該ケーブルアセンブリに制御されるよう、該ステアリングコラムロックと連動しているケーブルアセンブリと、
固定カラーと、可動カラーと、リリース部材と、位置決め部材と、弾性部材とを含む、該自転車のハンドル上に設けられた本体と、
を含み、
該固定カラーは、該ハンドル上に固定され、該可動カラーは、該固定カラーに対して回動可能に該ハンドル上に設けられ、かつ該可動カラーは、該ケーブルアセンブリに接続され、
該可動カラーは、第１の溝および第２の溝を有し、該位置決め部材および該弾性部材は、該固定カラー上に設けられ、かつ該位置決め部材は該弾性部材に当接し、
該位置決め部材は、付勢され第１の位置から第２の位置まで移動することができ、該位置決め部材が該第１の位置にあるとき、該位置決め部材を該固定カラーと該可動カラーとの間に固定するよう、該位置決め部材の一端は該第１の溝の中に挿入され、該位置決め部材は該第１の位置から該第２の位置まで移動しているとき、該位置決め部材の該一端は該第１の溝から離れており、該可動カラーをロック位置まで回転させることができ、該位置決め部材が解放され該第２の位置から該第１の位置まで移動しているとき、該位置決め部材を該固定カラーと該可動カラーとの間に再び固定するよう、該位置決め部材の該一端は該第２の溝の中に挿入されることを特徴とするワイヤ制御位置決め構造。
【請求項５】
該ケーブルアセンブリは、回動可能に該ステアリングコラムロック上に設けられた筐体と、該筐体と該可動カラーとの間に接続されたケーブルと、該ケーブルを接続するバネとを含み、該可動カラーは、該ケーブルを動かして該筐体を回動させ、該バネを変形させることにより、該ステアリングコラムロックをロック状態にすることを特徴とする請求項４に記載のワイヤ制御位置決め構造。
【請求項６】
該位置決め部材はラッチであり、該弾性部材はバネであり、該位置決め部材は該弾性部材と該可動カラーとの間に当接することを特徴とする請求項４に記載のワイヤ制御位置決め構造。
【請求項７】
自転車のステアリングコラム上に設けられたステアリングコラムロックを接続するためのワイヤ制御位置決め構造であって、
ケーブルアセンブリであって、該ステアリングコラムロックが該ケーブルアセンブリに制御されるよう、該ステアリングコラムロックと連動しているケーブルアセンブリと、
該自転車のハンドル上に固定された固定カラーと、回動可能に該ハンドル上に設けられた可動カラーと、リリース部材とを含み、該可動カラーは、該リリース部材に制御され、ロック位置またはアンロック位置まで対応して移動する、該ハンドル上に設けられた本体と、
を含み、
該ケーブルアセンブリは、該ステアリングコラムロック上に設けられた筐体と、該筐体と該可動カラーとの間に接続されたケーブルと、該ケーブルを接続するバネとを含み、該ケーブルは、該筐体を第１の方向に引っ張り回動させることができ、該バネは、該筐体を該第１の方向とは逆の第２の方向に駆動して回動させることができることを特徴とするワイヤ制御位置決め構造。
【請求項８】
回転係合部と固定リングとを有し、該回転係合部および該固定リングは、それぞれ自転車のヘッドチューブおよび自転車のステアリングコラム上に設けられ、該固定リングは、位置決め窪みを有し、該回転係合部は、回動操作盤および係合ピラーを有し、該回動操作盤は、該自転車のヘッドチューブの周りを回動して該係合ピラーが高抵抗力位置と低抵抗力位置のうちのいずれかに選択可能に位置することができるようにし、該係合ピラーが該高抵抗力位置にあるとき、該係合ピラーが突出して該位置決め窪みと結合し、該自転車のヘッドチューブに対して該自転車のステアリングコラムを回動させる抵抗力が比較的高くなるようにし、該係合ピラーが該低抵抗力位置にあるとき、該係合ピラーが退縮して該位置決め窪みから離れ、該自転車のヘッドチューブに対して該自転車のステアリングコラムを回動させる抵抗力が比較的低くなるようにする、ステアリングコラムロックを接続するためのワイヤ制御位置決め構造であって、
該自転車のハンドル上に固定された固定カラーと、該ハンドルの周りを回動してロック位置とアンロック位置のうちのいずれかに選択可能に位置決めすることができる可動カラーとを含み、該ハンドル上に設けられた本体と、
ケーブルアセンブリと、
を含み、該ケーブルアセンブリは、
該自転車のステアリングコラムの周りを回動することができ、結合スペースを有し、該結合スペースは、該回動操作盤を結合することができ、該筐体が該自転車のステアリングコラムの周りを回動するとき、該筐体は、該回動操作盤を同時に動かして該自転車のステアリングコラムを回動させる筐体と、
該筐体と該可動カラーとの間に接続され、該筐体を第１の方向に回動させることができるケーブルと、
該筐体に接続され、該筐体を該第１の方向とは逆の第２の方向に駆動して回動させることができるバネとを含み、
該可動カラーが該アンロック位置から該ロック位置へ移動するとき、該可動カラーが該ケーブルを該第１の方向に動かして該筐体を回動させ、該可動カラーは、該ケーブルの延伸長さを短くして、該バネを変形させることにより、該回動操作盤を動かして該自転車のステアリングコラムの周りを回動させ、該係合ピラーを該高抵抗力位置まで移動させ、
該可動カラーが該ロック位置から該アンロック位置へ移動するとき、該可動カラーが該ケーブルの延伸長さを増やし、該バネが元の形に戻り該筐体を該第２の方向に回動させることにより、該回動操作盤を動かして該自転車のステアリングコラムの周りを回動させ、該係合ピラーを該低抵抗力位置まで移動させることを特徴とするワイヤ制御位置決め構造。
【請求項９】
該本体は、位置決め部材と位置決めバネとをさらに含み、利用者が外からの力を加えていないとき、該位置決めバネは、該位置決め部材を押さえつけ、該位置決め部材を該固定カラーまたは該可動カラーと係合させることにより、該可動カラーが該ハンドルの周りを回動できないようにし、利用者が該外からの力を加えたとき、該位置決めバネが圧縮され、該位置決め部材が該固定カラーまたは該可動カラーと係合しておらず、該可動カラーは、該ハンドルの周りを回動できることを特徴とする請求項８に記載のワイヤ制御位置決め構造。
【請求項１０】
自転車のステアリングコラム上に設けられたステアリングコラムロックを接続するための、請求項１〜９のいずれか一項に記載のワイヤ制御位置決め構造を含む自転車であって、該ステアリングコラムロックは、該ワイヤ制御位置決め構造により該ステアリングコラムをロックまたはアンロックすることを特徴とする自転車。
【請求項１１】
該ワイヤ制御位置決め構造が手動方式で駆動されるか、または、該ワイヤ制御位置決め構造が電力および磁力の少なくとも一方の方式で駆動されることを特徴とする請求項１０に記載の自転車。
【発明の詳細な説明】
【技術分野】
【０００１】
本発明は、自転車およびそのアセンブリに関し、特に自転車およびそのワイヤ制御位置決め構造に関する。
【背景技術】
【０００２】
自転車は、現在、人気の高いレジャーやスポーツのための交通手段であるが、自転車に重い物を載せ、駐輪しようとすると、自転車のヘッドチューブに対して自転車のステアリングコラムが回動自在となるため、自転車の前輪と地面の接触位置が変わり、車体の重心が不安定になり、倒れてしまう可能性がある。そのため、ヘッドチューブに対して自転車のステアリングコラムを一時的に左右に回動できないようにするために、自転車のステアリングコラムロック構造が設けられており、例えば、Ｓｈｉｍａｎｏ（シマノ）の型番ＨＰ−ＮＸ１０のステアリングコラムロックは、自転車のステアリングコラム上に取り付けられ、自転車のステアリングコラムを固定して自転車のヘッドチューブに対して回動できないよう制限し、これにより、ステアリングコラムの回動により車体の重心が不安定になり倒れるという状况が発生することを防止することができる。
【０００３】
図１は、Ｓｈｉｍａｎｏステアリングコラムロック１０４のアセンブリ分解模式図である。ステアリングコラムロック１０４は、回転係合部１０５と、固定リング１０６と、上蓋１０７とを有し、固定リング１０６および回転係合部１０５は、それぞれヘッドチューブに対して自転車のヘッドチューブが回転可能な自転車のステアリングコラム上に設けられている。固定リング１０６は、位置決め窪み１０６１（例えば、１セットの環状に配列された穴）を有し、回転係合部１０５は、回動操作盤１０５１および係合ピラー１０５２を有し、回動操作盤１０５１は、自転車のヘッドチューブの周りを回動して係合ピラー１０５２を固定リング１０６の位置決め窪み１０６１の中に選択可能に挿入することができる。このとき、ステアリングコラムロック１０４はロック状態にあり自転車のステアリングコラムは自在に回動できない。または、係合ピラー１０５２が位置決め窪み１０６１の中から離れると、ステアリングコラムロック１０４はアンロック状態にあり自転車のステアリングコラムを回動自在にすることができる。しかしながら、ワイヤ制御装置またはその他の操作補助装置が追加で取り付けられていないため、利用者は、手を自転車のハンドルから離してからでなければ回動操作盤１０５１を操作することができず、操作上不便である。
【先行技術文献】
【特許文献】
【０００４】
【特許文献１】特開２０１０−２０２１７６号公報
【特許文献２】特開平０６−９９８６９号公報
【発明の概要】
【発明が解決しようとする課題】
【０００５】
本発明は、自転車、および自転車のステアリングコラムロックをロックまたはアンロックするためのワイヤ制御位置決め構造に関し、特に、利用者が、自転車のハンドルを把持する位置に両手を保持したまま自転車のステアリングコラムロックをロックまたはアンロックすることができるようにし、利用者の操作の便利さが向上する。
【課題を解決するための手段】
【０００６】
上記の目的を達成するため、本発明は、ステアリングコラムロックを接続するためのワイヤ制御位置決め構造を提供し、ステアリングコラムロックは、自転車のステアリングコラム上に設けられ、ワイヤ制御位置決め構造は、ケーブルアセンブリと、本体とを含み、ケーブルアセンブリとステアリングコラムとは連動し、それによってステアリングコラムロックがケーブルアセンブリの制御を受けるようにする。本体は、自転車のハンドル上に設けられ、本体は、固定カラーと、可動カラーと、リリース部材と、第１の位置決め部材と、第２の位置決め部材と、第１の弾性部材と、第２の弾性部材とを含む。固定カラーは、ハンドル上に固定され、可動カラーは、固定カラーに対して回動可能にハンドル上に設けられ、かつ可動カラーは、ケーブルアセンブリを接続する。固定カラーは、溝を有し、リリース部材は、固定カラー上に設けられ、かつリリース部材の一端は、固定カラーの溝中に対応して位置する。リリース部材は、付勢され第１の位置から第２の位置まで移動し、第１の弾性部材が可動カラー上に設けられ、かつリリース部材が第１の位置にあるとき、第１の位置決め部材の一端は、溝中に挿入され、それによって第１の位置決め部材をリリース部材と第１の弾性部材との間に当接させ、第２の弾性部材が可動カラー上に設けられ、且つリリース部材が第１の位置から第２の位置まで移動するとき、第１の位置決め部材の一端は、溝から離れ、可動カラーをロック位置まで回転できるようにし、かつ位置決め部材が解放され第２の位置から第１の位置まで移動するとき、第２の位置決め部材の一端は、可動カラーの溝中に挿入され、それによって第２の位置決め部材をリリース部材と第２の弾性部材との間に当接させる。
【０００７】
上記の目的を達するため、本発明は、ステアリングコラムロックを接続するためのワイヤ制御位置決め構造を提供し、ステアリングコラムロックは、自転車のステアリングコラム上に設けられ、ワイヤ制御位置決め構造は、ケーブルアセンブリと、本体とを含む。ケーブルアセンブリとステアリングコラムロックとは連動し、それによってステアリングコラムロックがケーブルアセンブリの制御を受けるようにする。本体は、自転車のハンドル上に設けられ、本体は、固定カラーと、可動カラーと、位置決め部材と、弾性部材とを含む。固定カラーは、ハンドル上に固定され、可動カラーは、固定カラーに対して回動可能にハンドル上に設けられ、かつ可動カラーは、ケーブルアセンブリを接続する。可動カラーは、第１の溝と、第２の溝とを有し、位置決め部材および弾性部材は、固定カラー上に設けられ、かつ位置決め部材は、弾性部材に当接する。位置決め部材は、付勢され第１の位置から第２の位置まで移動することができ、位置決め部材が第１の位置にあるとき、位置決め部材の一端は、第１の溝中に挿入され、それによって位置決め部材を固定カラーと可動カラーとの間に固定し、位置決め部材が第１の位置から第２の位置まで移動するとき、位置決め部材の一端は、第１に溝から離れ、可動カラーがロック位置まで回転できるようにし、位置決め部材が解放されて第２の位置から第１の位置まで移動するとき、位置決め部材の一端は、第２の溝中に挿入され、それによって位置決め部材を再度固定カラーと可動カラーとの間に固定する。
【０００８】
上記の目的を達するため、本発明は、ステアリングコラムロックを接続するためのワイヤ制御位置決め構造を提供し、ステアリングコラムロックは、自転車のステアリングコラム上に設置される。ワイヤ制御位置決め構造は、ケーブルアセンブリと、本体とを含む。ケーブルアセンブリとステアリングコラムとは連動し、それによってステアリングコラムロックがケーブルアセンブリの制御を受けるようにする。本体は、自転車のハンドル上に設けられ、本体は、固定カラーと、可動カラーと、リリース部材とを含み、固定カラーは、ハンドル上に固定され、可動カラーは、回動可能にハンドル上に設けられ、可動カラーは、リリース部材の制御を受け、ロック位置またはアンロック位置まで対応して移動する。ケーブルアセンブリは、筐体と、ケーブルと、バネとを含む。筐体は、ステアリングコラムロック上に設けられ、ケーブルは、筐体と可動カラーとの間に接続され、バネは、ケーブルを接続し、ここでケーブルは、筐体を第１の方向に引っ張り回動させることができ、バネは、筐体を第２の方向に駆動し回動させることができ、第１の方向と第２の方向とは逆である。
【０００９】
上記の目的を達するため、本発明は、ステアリングコラムロックを接続するためのワイヤ制御位置決め構造を提供し、ステアリングコラムロックは、回転係合部と、固定リングとを有し、回転係合部および固定リングは、それぞれ自転車のヘッドチューブおよび自転車のステアリングコラム上に設けられ、固定リングは、位置決め窪みを有し、回転係合部は、回動操作盤および係合ピラーを有し、回動操作盤は、自転車のヘッドチューブの周りを回動して係合ピラーが高抵抗力位置と低抵抗力位置の両者のうち一つに選択的に位置するようにすることができ、係合ピラーが高抵抗力位置にあるとき、係合ピラーが突出して位置決め窪みと結合し、自転車のステアリングコラムの回動抵抗力を自転車のヘッドチューブより高くし、係合ピラーが低抵抗力位置にあるとき、係合ピラーが退縮して位置決め窪みから離れ、自転車のステアリングコラムの回動抵抗力を自転車のヘッドチューブより低くする。ワイヤ制御位置決め構造は、本体と、ケーブルアセンブリとを含む。本体は、自転車のハンドル上に設けられ、本体は、固定カラーと、可動カラーとを含み、固定カラーは、ハンドル上に固定され、可動カラーは、ハンドルの周りを回動してロック位置とアンロック位置の両者のうちの一つに選択可能に位置決めすることができる。ケーブルアセンブリは、筐体と、ケーブルと、バネとを含む。筐体は、自転車のステアリングコラムの周りを回動することができ、筐体は、結合スペースを有し、結合スペースは、回動操作盤を結合することができ、筐体が自転車のステアリングコラムの周りを回動するとき、筐体は、回動操作盤を同時に動かして自転車のステアリングコラムの周りを回動させる。ケーブルは、筐体と可動カラーとの間に接続され、ケーブルは、筐体を第１の方向に引っ張り回動させることができ、バネは、筐体を接続し、バネは、筐体を第２の方向に駆動し回動させることができ、第１の方向と第２の方向とは逆である。可動カラーがアンロック位置からロック位置へ移動するとき、可動カラーは、ケーブルの延伸長さを短縮し、ケーブルが筐体を第１の方向に動かし回動させ、バネを変形させるようにし、さらに回動操作盤を動かして自転車のステアリングコラムの周りを回動させ、係合ピラーを高抵抗力位置まで移動させる。可動カラーがロック位置からアンロック位置に移動するとき、可動カラーは、ケーブルの延伸長さを増加し、バネは、原形を回復して筐体を第２の方向に回動させ、さらに回動操作盤を動かして自転車のステアリングコラムの周りを回動させ、係合ピラーを低抵抗力位置まで移動させる。
【００１０】
上記の目的を達するため、本発明は、上記ワイヤ制御位置決め構造を含む自転車を提供し、ワイヤ制御位置決め構造は、ステアリングコラムロックを接続するために用いられ、ステアリングコラムロックは、自転車のステアリングコラム上に設けられ、ここでステアリングコラムロックは、ワイヤ制御位置決め構造によってステアリングコラムをロックまたはアンロックする。
【図面の簡単な説明】
【００１１】
【図１】Ｓｈｉｍａｎｏステアリングコラムロックのアセンブリ分解模式図である。
【図２Ａ】本発明の実施例による自転車の局所外観およびそのステアリングコラムロックのワイヤ制御位置決め構造の模式図である。
【図２Ｂ】図２Ａの自転車の局所外観およびワイヤ制御位置決め構造の分解模式図である。
【図２Ｃ】上向きに見たワイヤ制御位置決め構造の分解模式図である。
【図２Ｄ】下向きに見たワイヤ制御位置決め構造の分解模式図である。
【図２Ｅ】自転車のステアリングコラム上に設けられたステアリングコラムロックおよび部分アセンブリの模式図である。
【図３Ａ】本発明の実施例のワイヤ制御位置決め構造に用いる本体の外観模式図である。
【図３Ｂ】本発明の実施例のワイヤ制御位置決め構造に用いる本体の内部透視模式図である。
【図３Ｃ】本発明の実施例のワイヤ制御位置決め構造に用いる本体の分解模式図である。
【図４Ａ】本発明の別の実施例のワイヤ制御位置決め構造に用いる本体の外観模式図である。
【図４Ｂ】本発明の別の実施例のワイヤ制御位置決め構造に用いる本体の内部透視模式図である。
【図４Ｃ】本発明の別の実施例のワイヤ制御位置決め構造に用いる本体の分解模式図である。
【図５Ａ】ステアリングコラムロックが本発明の実施例のワイヤ制御位置決め構造のケーブルアセンブリに制限される操作模式図である。
【図５Ｂ】ステアリングコラムロックが本発明の実施例のワイヤ制御位置決め構造のケーブルアセンブリに制限される操作模式図である。
【発明を実施するための形態】
【００１２】
本発明の目的、構造、特徴、およびその機能をさらに理解できるようにするため、実施例と合わせて詳細に説明する。
【００１３】
本発明の実施例によるワイヤ制御位置決め構造は、自転車に適用される。一般に、自転車は、主にフレーム、ハンドル、ステアリングコラム（ステアリングチューブ）、前輪、後輪、１対のペダル、および動力伝達用のチェーン等を含み、利用者がハンドルを回動することにより前輪の進行方向を変えることができるよう、ハンドルはステアリングコラムに接続され、ステアリングコラムはフレームのヘッドチューブを貫通して前輪の中心に接続することができる。一般的な状況で、ステアリングコラムは、フレームのヘッドチューブに対して回動自在であるが、フレームのヘッドチューブに対してステアリングコラムを固定し動かなくなるようにするため、自転車のステアリングコラム上にステアリングコラムロックを追加で設けることができる。ステアリングコラムロックがロック状態にあるとき、自転車のステアリングコラムの位置決めの効果を達成するよう、自転車のステアリングコラムは回動自在でなくなる。本発明の実施例のワイヤ制御位置決め構造は、利用者がワイヤ制御位置決め構造によりステアリングコラムロックを制御するのに便利なよう、自転車上のステアリングコラムロックと連動するよう設けられている。
【００１４】
以下、実施例により詳細な説明を行うが、実施例は例として説明するためのものでしかなく、本発明で保護しようとする範囲を制限するものではない。以下、同一／類似の符号で、同一／類似のアセンブリを表し説明する。
【００１５】
図２Ａは、本発明の実施例による自転車の局所外観およびそのステアリングコラムロック１０４のワイヤ制御位置決め構造１１０の模式図である。図２Ｂは、図２Ａの自転車の局所外観およびワイヤ制御位置決め構造１１０の分解模式図である。図２Ｃおよび図２Ｄは、それぞれ上向きおよび下向きに見たワイヤ制御位置決め構造の分解模式図である。図２Ｅは、自転車のステアリングコラム１０３上に設けられたステアリングコラムロック１０４および部分アセンブリの模式図である。
【００１６】
図２Ａに示すように、自転車は、ハンドル１０１、ヘッドチューブ１０２、ステアリングコラム１０３（ステアリングチューブ）、ステアリングコラムロック１０４およびワイヤ制御位置決め構造１１０を含む。ワイヤ制御位置決め構造１１０は、ステアリングコラムロック１０４を接続するために用いられる。ステアリングコラムロック１０４は、自転車のステアリングコラム１０３上に設けられている。ワイヤ制御位置決め構造１１０は、ケーブルアセンブリ１０８および本体１０９を含む。ケーブルアセンブリ１０８は、ヘッドチューブ１０２上に設けられており、本体１０９は、ハンドル１０１上に設けられている。図１、図２Ａおよび図２Ｂに示すように、ステアリングコラムロック１０４は、回転係合部１０５と、固定リング１０６とを有し、回転係合部１０５および固定リング１０６は、それぞれ自転車のヘッドチューブ１０２および自転車のステアリングコラム１０３上に設けられている。回動操作盤１０５１は、ヘッドチューブ１０２の周りを回動して係合ピラー１０５２が高抵抗力位置および低抵抗力位置のうちのいずれかに選択可能に位置するようにすることができ、この高抵抗力位置は、位置決め窪み１０６１との干渉がこの低抵抗力位置と位置決め窪み１０６１との干渉よりも大きくてもよいが、これに限られない。実施例では、固定リング１０６の中心ブッシュ１０６２および上蓋１０７が、例えば締結部材によりステアリングコラムロック位置決めカバー１０４１と接合してステアリングコラム１０３上に固定され、回転係合部１０５の中心ブッシュ１０５３が、例えば締結部材（図示せず）によりヘッドチューブ１０２上に固定されヘッドチューブ１０２に対して回動操作盤１０５１が回転できるようにしている。
【００１７】
実施例では、回動操作盤１０５１の係合ピラー１０５２に対応する下方に、例えば斜面（図示せず）が設けられており、回動操作盤１０５１が、例えば時計回りの方向に回転するとき、この斜面が係合ピラー１０５２を上向きに押し動かしてこの高抵抗力位置に位置するようにし、または回動操作盤１０５１が、例えば反時計回りの方向に回転するとき、この斜面が係合ピラー１０５２から離れ、係合ピラー１０５２を下向きにこの低抵抗力位置に位置するようにする。本実施例では、この高抵抗力位置がこの低抵抗力位置よりも突出しているが、これに限られない。
【００１８】
係合ピラー１０５２がこの高抵抗力位置にあるとき、係合ピラー１０５２が突出して位置決め窪み１０６１（例えばそのうちの１つの穴）と結合し、自転車のヘッドチューブ１０２に対する自転車のステアリングコラム１０３の回動抵抗力が高くなるようにし、すなわち、このときステアリングコラムロック１０４がロック状態にあり、自転車のステアリングコラム１０３が自在に回動できなくなる。また、係合ピラー１０５２がこの低抵抗力位置にあるとき、係合ピラー１０５２が退縮して位置決め窪み１０６１（例えばそのうちの１つの穴）から離れ、自転車のヘッドチューブ１０２に対する自転車のステアリングコラム１０３の回動抵抗が低くなるようにし、すなわち、このときステアリングコラムロック１０４がアンロック状態にあり、自転車のステアリングコラム１０３を回動自在にする。
【００１９】
本実施例のワイヤ制御位置決め構造１１０は、上記回動位置決めを用いたステアリングコラムロック１０４を接続する以外に、他の形式のステアリングコラムロック１０４も接続することができ、本発明はこれについて制限を加えない。
【００２０】
図２Ｂ、図２Ｃおよび図２Ｄに示すように、本発明の実施例によるケーブルアセンブリ１０８は、例えば、筐体１０８１、ケーブル１０８２およびバネ１０８３を含む。筐体１０８１は、ステアリングコラムロック１０４上に設けられており、ケーブル１０８２は、筐体１０８１と本体１０９の可動カラーとの間に接続されており、バネ１０８３はケーブル１０８２を接続し、バネ１０８３は、例えばヘッドチューブ１０２上に接続された固定座１０８４のリミット溝１０８５の中に位置する。ケーブル１０８２は、ステアリングコラムロック１０４を駆動し回動させるため、筐体１０８１を第１の方向に引っ張り回動させ、例えば反時計回りに回転させることができ、バネ１０８３が、ステアリングコラムロック１０４を逆方向に回動させるため、変形した状態から元の変形していない状態に戻る回復力により、筐体１０８１を第２の方向に駆動して回動させることができ、この第１の方向をこの第２の方向と逆にし、この第２の方向、例えば時計回りに回転させてもよい。
【００２１】
実施例では、筐体１０８１は、自転車のステアリングコラム１０３の周りを回動することができ、筐体１０８１は、結合スペース１０８１ａを有し、回動操作盤１０５１は、例えば突出レバー１０５１ａ（図２Ｅを参照）を有し、結合スペース１０８１ａは、ステアリングコラムロック１０４の回動操作盤１０５１の突出レバー１０５１ａを結合することができる（例えば、筐体１０８１を回動操作盤１０５１の周囲面に被せる）。筐体１０８１が自転車のステアリングコラム１０３の周りを回動するとき、筐体１０８１は、同時に回動操作盤１０５１を動かして自転車のステアリングコラム１０３の周りを回動させ、すなわち、ステアリングコラムロック１０４をロック状態とアンロック状態の両者の間で切り替えるよう、ステアリングコラムロック１０４をケーブルアセンブリ１０８におけるケーブル１０８２の引張力またはバネ１０８３の回復力により制御することができる。
【００２２】
以下、異なる実施形態のワイヤ制御位置決め構造１１０について説明する。図３Ａ〜図３Ｃは、それぞれ本発明の実施例のワイヤ制御位置決め構造１１０に用いる本体１０９の外観模式図、内部透視模式図および分解模式図である。図４Ａ〜図４Ｃは、それぞれ本発明の別の実施例のワイヤ制御位置決め構造に用いる本体２０９の外観模式図、内部透視模式図および分解模式図を示す。しかしながら、本発明は上記２種類の実施形態に限定されず、可能な他の変化実施例を含んでもよい。
【００２３】
図２Ｄおよび図３Ａに示すように、利用者が本体１０９によって操作できるように、本体１０９は、自転車のハンドル１０１上に設けられている。本体１０９は、ハンドル１０１上に固定された固定カラー１０９１と、ハンドル１０１の周りを回動してロック位置とアンロック位置のうちのいずれかに選択可能に位置決めすることができる可動カラー１０９２とを含む。また、図３Ｂおよび図３Ｃに示すように、本体１０９は、さらにリリース部材１０９３を含む。可動カラー１０９２は、リリース部材１０９３に制御され、ロック位置またはアンロック位置まで対応して移動し、筐体１０８１は、ステアリングコラムロック１０４上に設けられており、ケーブル１０８２は、筐体１０８１と可動カラー１０９２との間に接続され、バネ１０８３はケーブル１０８２を接続し、ケーブル１０８２は、筐体１０８１をこの第１の方向に引っ張り回動させることができ、バネ１０８３は、筐体１０８１をこの第１の方向とは逆の第２の方向に駆動して回動させることができる。
【００２４】
さらに、本体１０９は、本体１０９内部にある第１の位置決め部材１０９５、第１の弾性部材１０９６、第２の位置決め部材１０９７および第２の弾性部材１０９８を含む。実施例では、第１の位置決め部材１０９５と第１の弾性部材１０９６は互いに重なり、可動カラー１０９２の座体１０９９の窪み部Ｃ１の中に位置し、第２の位置決め部材１０９７と第２の弾性部材１０９８は互いに重なり、可動カラー１０９２の座体１０９９のもう１つの窪み部Ｃ２の中に位置する。
【００２５】
実施例では、第１の位置決め部材１０９５および第２の位置決め部材１０９７は、例えばそれぞれラッチであり、第１の弾性部材１０９６および第２の弾性部材１０９８は、例えばそれぞれバネであり、リリース部材１０９３は、例えば利用者が押すことができるボタンである。しかしながら、本発明は、手動の方式で位置決め部材を操作することに限定されず、電力および／または磁力を用いて駆動してもよい。
【００２６】
固定カラー１０９１は、溝１０９４を有し、リリース部材１０９３は、固定カラー１０９１上に設けられており、かつリリース部材１０９３の一端１０９３ａは、固定カラー１０９１の溝１０９４の中に対応してあり、リリース部材１０９３は、付勢され、第１の位置から第２の位置まで移動する（例えば、リリース部材１０９３が下向きに押圧されるとき、この第１の位置がこの第２の位置まで移動する）。
【００２７】
リリース部材１０９３がこの第１の位置にあるとき、第１の位置決め部材１０９５がリリース部材１０９３と第１の弾性部材１０９６との間に当接するよう、第１の位置決め部材１０９５の一端１０９５ａは溝１０９４の中に挿入され、このとき、固定カラー１０９１と可動カラー１０９２との間は、第１の位置決め部材１０９５により互いに係合している。リリース部材１０９３がこの第１の位置からこの第２の位置まで移動するとき、リリース部材１０９３によって第１の位置決め部材１０９５が押され、第１の位置決め部材１０９５のこの一端１０９５ａが溝１０９４を離れることにより、可動カラー１０９２が固定カラー１０９１と係合しておらず、ロック位置まで回転できるようにする。可動カラー１０９２がこのロック位置にあるとき、第２の位置決め部材１０９７および第２の弾性部材１０９８の位置とリリース部材１０９３の位置は互いに対応し、例えば互いに重なる。
【００２８】
次に、リリース部材１０９３が解放されこの第２の位置からこの第１の位置まで移動するとき、第２の位置決め部材１０９７がリリース部材１０９３と第２の弾性部材１０９８との間に当接するよう、第２の位置決め部材１０９７の一端１０９７ａは固定カラー１０９１の溝１０９４の中に挿入され、このとき、固定カラー１０９１と可動カラー１０９２との間は、第２の位置決め部材１０９７により再び互いに係合している。
【００２９】
つまり、利用者が外からの力を加えていないとき、位置決めバネ（すなわち、第１の弾性部材または第２の弾性部材）が、位置決め部材（例えば、第１の位置決め部材または第２の位置決め部材）を押し、位置決め部材を固定カラー１０９１と係合させることにより、可動カラー１０９２がハンドル１０１の周りを回動できないようにする。利用者が外からの力を加えたとき、位置決めバネが圧縮され、位置決め部材が固定カラー１０９１と係合しておらず、可動カラー１０９２がハンドル１０１の周りを回動できるようにする。
【００３０】
上記の説明からわかるように、本体１０９の可動カラー１０９２は、上記の操作形態によりケーブルアセンブリ１０８のケーブル１０８２と連動することができ、ケーブルアセンブリ１０８の筐体１０８１がステアリングコラムロック１０４の回動操作盤１０５１と結合することにより、可動カラー１０９２をロック位置まで回転させるとき、ステアリングコラムロック１０４がちょうどロック状態にあるようにする。ステアリングコラムロック１０４のロックを解除するには、リリース部材１０９３を押圧すればよく、リリース部材１０９３をこの第１の位置からこの第２の位置まで移動させるとき、固定カラー１０９１と可動カラー１０９２との間が第２の位置決め部材１０９７によって互いに係合しておらず、バネ１０８３によって生じる回復力により筐体１０８１および回動操作盤１０５１を駆動して逆方向に回動させ、ステアリングコラムロック１０４をアンロック状態に戻すことができる。
【００３１】
次に、図４Ａに示すように、別の実施例では、本体２０９は、自転車のハンドル１０１上に設けられており、本体２０９は、ハンドル１０１上に固定された固定カラー２０９１と、ハンドル１０１の周りを回動してロック位置とアンロック位置のうちのいずれかに選択可能に位置決めすることができる可動カラー２０９２とを含む。また、図４Ｂおよび図４Ｃに示すように、本体２０９は、位置決め部材２０９３と、本体２０９内部にある弾性部材２０９４と、第１の溝２０９６と、第２の溝２０９７とを含み、かつ第１の溝２０９６および第２の溝２０９７は、可動カラー２０９２上に設けられている。弾性部材２０９４は、固定カラー２０９１上に設けられており、位置決め部材２０９３に当接し、位置決め部材２０９３を第１の溝２０９６または第２の溝２０９７に向けている。本実施例と上記実施例とは、以下の点で異なっている。利用者が溝２０９５の中の突起を横向きに押すことにより位置決め部材２０９３を第１の位置から第２の位置まで移動させるのに便利なように、位置決め部材２０９３が固定カラー２０９１上に設けられており、固定カラー２０９１に設けられた溝２０９５の中の突起を付勢部としている。しかしながら、本発明は、手動の方式で位置決め部材を操作することに限定されず、電力および／または磁力での駆動を用いてもよい。
【００３２】
位置決め部材２０９３は、例えば、突起を有するラッチであり、弾性部材２０９４は、例えばバネであり、位置決め部材２０９３は、弾性部材２０９４と可動カラー２０９２との間に当接する。
【００３３】
位置決め部材２０９３が該第１の位置にあるとき、位置決め部材２０９３を固定カラー２０９１と可動カラー２０９２との間に固定するよう、位置決め部材２０９３の一端２０９３ａは第１の溝２０９６の中に挿入され、このとき、可動カラー２０９２は、位置決め部材２０９３により固定カラー２０９１に対して回動することができない。位置決め部材２０９３がこの第１の位置からこの第２の位置まで移動するとき、位置決め部材２０９３の一端２０９３ａが第１の溝２０９６を離れることにより、可動カラー２０９２が固定カラー２０９１と係合しておらず、ロック位置まで回転できるようにする。可動カラー２０９２がこのロック位置にあるとき、位置決め部材２０９３および弾性部材２０９４の位置と第２の溝２０９７の位置とは互いに対応し、例えば平行に揃っている。
【００３４】
次に、位置決め部材２０９３が解放されこの第２の位置からこの第１の位置まで移動するとき、位置決め部材２０９３を固定カラー２０９１と可動カラー２０９２との間に再び固定するよう、位置決め部材２０９３の一端２０９３ａは、第２の溝２０９７の中に挿入され、このとき、可動カラー２０９２は、位置決め部材２０９３により固定カラー２０９１に対して回動することができない。
【００３５】
つまり、利用者が外からの力を加えていないとき、位置決めバネ（すなわち、弾性部材２０９４）が、位置決め部材２０９３を押し、位置決め部材２０９３を可動カラー２０９２と係合させることにより、可動カラー２０９２がハンドル１０１の周りを回動できないようにする。利用者が外からの力を加えたとき、位置決めバネ（すなわち、弾性部材２０９４）が圧縮され、位置決め部材が可動カラー２０９２と係合しておらず、可動カラー２０９２がハンドル１０１の周りを回動できるようにする。
【００３６】
上記の説明からわかるように、本体２０９の可動カラー２０９２は、上記の操作形態により図２Ｂにおけるケーブルアセンブリ１０８のケーブル１０８２と連動し、ケーブルアセンブリ１０８の筐体１０８１がステアリングコラムロック１０４の回動操作盤１０５１と結合することにより、可動カラー２０９２をこのロック位置まで回転させるとき、ステアリングコラムロック１０４がちょうどこのロック状態にあるようにする。ステアリングコラムロック１０４のロックを解除するには、位置決め部材２０９３を押せばよく、位置決め部材２０９３をこの第１の位置からこの第２の位置まで移動させるとき、固定カラー２０９１と可動カラー２０９２との間が位置決め部材２０９３によって互いに係合しておらず、バネ１０８３によって生じる回復力により筐体１０８１および回動操作盤１０５１を駆動して逆方向に回動させ、ステアリングコラムロック１０４をこのアンロック状態に戻すことができる。
【００３７】
図５Ａおよび図５Ｂは、それぞれステアリングコラムロック１０４が本発明の実施例のワイヤ制御位置決め構造１１０のケーブルアセンブリ１０８に制御される操作模式図を示し、図５Ａにおけるステアリングコラムロック１０４はアンロック状態にあり、図５Ｂにおけるステアリングコラムロック１０４はロック状態にあり、矢印Ａ１は第１の方向を表し、矢印Ａ２は第１の方向とは逆の第２の方向を表す。
【００３８】
図５Ａおよび図５Ｂに示すように、ケーブル１０８２は、ケーブルシース１０８７の中に位置し、かつケーブル１０８２は、固定座１０８４の一方の側を経てリミット溝１０８５の中まで延び、筐体１０８１のコネクティングロッド１０８６と接続することができる。ケーブル１０８２の他端は、可動カラーに引っ張られて移動する。図５Ａにおけるケーブル１０８２のリミット溝１０８５における延伸長さは、図５Ｂにおけるケーブル１０８２のリミット溝１０８５における延伸長さよりも長い。
【００３９】
上記の操作形態により、可動カラーがこのアンロック位置からこのロック位置へ移動するとき、可動カラーは、ケーブル１０８２の延伸長さを短くし（図５Ｂを参照）、ケーブル１０８２が筐体１０８１を第１の方向Ａ１に動かして回動させ、バネ１０８３を変形させることにより、ステアリングコラムロック１０４の回動操作盤１０５１を動かして自転車のステアリングコラム１０３の周りを回動させることができる。可動カラーがこのロック位置からこのアンロック位置へ移動するとき、可動カラーは、ケーブル１０８２の延伸長さを増やし（図５Ａを参照）、バネ１０８３が元の形に戻り筐体１０８１を第２の方向Ａ２に回動させることにより、ステアリングコラムロック１０４の回動操作盤１０５１を動かして自転車のステアリングコラム１０３の周りを回動させることができる。このようにして、ワイヤ制御位置決めおよびリリースの効果を達成することができる。
【００４０】
上記実施例は、手動の方式でワイヤ制御位置決め構造の操作原理について説明したが、上記実施例は、電力および／または磁力で駆動する方式で操作することにより、電力および／または磁力の制御を達成してもよい。また、上記実施例のワイヤ制御位置決め構造は、二輪の自転車に用いることに限定されず、三輪、四輪の自転車または他の交通手段に用いてもよく、本発明はこれについて制限を加えない。
【００４１】
以上をまとめると、本発明は、自転車、および自転車のステアリングコラムに設けられた、ケーブルアセンブリと、本体とを含む、ステアリングコラムロックを接続するための自転車のワイヤ制御位置決め構造を公開する。ステアリングコラムロックがケーブルアセンブリに制御されるよう、ケーブルアセンブリはステアリングコラムロックと連動している。本体は、自転車のハンドル上に設けられ、本体は、固定カラーと、回動可能にハンドル上に設けられた可動カラーと、リリース部材とを含み、可動カラーは、リリース部材に制御され、ロック位置またはアンロック位置まで対応して移動し、ケーブルアセンブリは、ステアリングコラムロック上に設けられた筐体と、筐体と可動カラーとの間に接続されたケーブルと、ケーブルを接続するバネとを含み、ケーブルは、筐体を第１の方向に引っ張り回動させることができ、バネは、筐体を第１の方向とは逆の第２の方向に駆動して回動させることができ、これにより、特に、利用者は、自転車のハンドルを把持する位置に両手を保持したまま自転車のステアリングコラムロックをロックまたはアンロックすることができ、操作の便利さが向上する。
【００４２】
本発明は、上記関連する実施例により説明したが、上記実施例は、本発明を実施する例にすぎない。すでに開示されている実施例は、本発明の範囲を制限するものではないことを指摘しておく。逆に、本発明の趣旨を逸脱せずに範囲内で行われる変更および修飾は、本発明の特許保護範囲に属す。
【図１】
2019147543.tif 000003
【図２Ａ】
2019147543.tif 000004
【図２Ｂ】
2019147543.tif 000005
【図２Ｃ】
2019147543.tif 000006
【図２Ｄ】
2019147543.tif 000007
【図２Ｅ】
2019147543.tif 000008
【図３Ａ】
2019147543.tif 000009
【図３Ｂ】
2019147543.tif 000010
【図３Ｃ】
2019147543.tif 000011
【図４Ａ】
2019147543.tif 000012
【図４Ｂ】
2019147543.tif 000013
【図４Ｃ】
2019147543.tif 000014
【図５Ａ】
2019147543.tif 000015
【図５Ｂ】
2019147543.tif 000016